(57)【要約】【課題】従来の熱交換器固定板では、伝熱管の列数が異なる熱交換器を共通の熱交換器固定板で固定できないという問題がある。【解決手段】この熱交換器固定板７は、最風上側に配置され、伝熱管のヘアピン部が挿入される第１挿入部３２（風上側挿入部）と、第１挿入部３２（風上側挿入部）よりも風下側に配置され、伝熱管のヘアピン部が挿入される第２挿入部３３（風下側挿入部）とを備えている。そして、第２挿入部３３（風下側挿入部）は、その長さＬ２、Ｌ３が、段方向に隣接する少なくとも２つのヘアピン部が挿入可能な長さとされ、その幅Ｗ２、Ｗ３が、第１挿入部３２（風上側挿入部）の幅Ｗ１以上とされている。【選択図】図８
2014070759.tif 000002
【特許請求の範囲】
【請求項１】
空気の流れ方向に複数列配列された伝熱管を有する熱交換器の端部を固定する熱交換器固定板であって、
最風上側に配置され、前記伝熱管のヘアピン部が挿入される風上側挿入部と、
前記風上側挿入部よりも風下側に配置され、前記伝熱管のヘアピン部が挿入される風下側挿入部とを備え、
前記風下側挿入部は、
その長さが、空気の流れ方向と対向する方向に隣接する少なくとも２つのヘアピン部が挿入可能な長さとされ、その幅が、前記風上側挿入部の幅以上であることを特徴とする熱交換器固定板。
【請求項２】
前記熱交換器は、
最風上側に配列された第１伝熱管と、
前記第１伝熱管よりも風下側に配列され、管径およびピッチが前記第１伝熱管の管径およびピッチと異なる第２伝熱管とを有し、
前記第１伝熱管が前記風上側挿入部に挿入され、かつ前記第２伝熱管が前記風下側挿入部に挿入される場合と、
前記第１伝熱管が前記風下側挿入部に挿入される場合とがあることを特徴とする請求項１に記載の熱交換器固定板。
【請求項３】
前記第１伝熱管の管径が、前記第２伝熱管の管径よりも大きいことを特徴とする請求項２に記載の熱交換器固定板。
【請求項４】
前記風下側挿入部は、前記伝熱管のヘアピン部が挿入される側の端部とは反対側の端部が実質的に閉塞されていることを特徴とする請求項１〜３のいずれか１項に記載の熱交換器固定板。
【請求項５】
請求項１〜４のいずれか１項に記載の熱交換器固定板を備える、室内機。
【発明の詳細な説明】
【技術分野】
【０００１】
本発明は、熱交換器の端部を固定する熱交換器固定板、および、この熱交換器固定板を備えた室内機に関する。
【背景技術】
【０００２】
従来から、空気の流れ方向に複数列配列された伝熱管を有する熱交換器の端部を固定する熱交換器固定板がある。この熱交換器固定板には、伝熱管のヘアピン部が挿入・固定される挿入部が各ヘアピン部の位置に対応するようにそれぞれ別個に形成されている。また、熱交換器の中には、管径およびピッチが異なる伝熱管が混在しているものもあり（例えば、特許文献１の図３参照）、この場合、ヘアピン部の形状（大きさ）が各ヘアピン部によって異なるため、挿入部の形状（長さや幅）も各挿入部によって異なる。
【先行技術文献】
【特許文献】
【０００３】
【特許文献１】特開２０１１−１０６７６２号公報
【発明の概要】
【発明が解決しようとする課題】
【０００４】
ところで、熱交換器は、その種類によって伝熱管の列数が異なる場合がある。かかる場合、コスト等の観点から、伝熱管の列数が異なる熱交換器を、共通の熱交換器固定板で固定できることが好ましい。しかしながら、従来の熱交換器固定板では、各ヘアピン部が挿入される挿入部が、各ヘアピン部の位置や形状に応じてそれぞれ別個に形成されているため、伝熱管の列数が異なることによって、挿入部の位置と各ヘアピン部の位置とが対応しなくなったり、熱交換器に管径およびピッチが異なる伝熱管が混在している場合には、挿入部の形状と各ヘアピン部の形状とが対応しなくなる場合がある。そして、これらの場合、伝熱管の列数が異なる熱交換器を共通の熱交換器固定板で固定できないという問題がある。
【０００５】
そこで、本発明の目的は、熱交換器に設けられた伝熱管の列数が異なる場合であっても、共通に用いることができる熱交換器固定板を提供することである。
【課題を解決するための手段】
【０００６】
第１の発明にかかる熱交換器固定板は、空気の流れ方向に複数列配列された伝熱管を有する熱交換器の端部を固定する熱交換器固定板であって、最風上側に配置され、前記伝熱管のヘアピン部が挿入される風上側挿入部と、前記風上側挿入部よりも風下側に配置され、前記伝熱管のヘアピン部が挿入される風下側挿入部とを備え、前記風下側挿入部は、その長さが、空気の流れ方向と対向する方向に隣接する少なくとも２つのヘアピン部が挿入可能な長さとされ、その幅が、前記風上側挿入部の幅以上であることを特徴とする。
【０００７】
この熱交換器固定板では、風下側挿入部の長さが空気の流れ方向と対向する方向に隣接する少なくとも２つのヘアピン部が挿入可能な長さとされ、風下側挿入部の幅が風上側挿入部の幅以上であるので、風下側挿入部よりも風上側に挿入される伝熱管のヘアピン部を、風下側挿入部に挿入することができる。したがって、伝熱管の列数が異なる場合であっても、熱交換器固定板を共通化できる。
【０００８】
第２の発明にかかる熱交換器固定板は、第１の発明にかかる熱交換器固定板において、前記熱交換器は、最風上側に配列された第１伝熱管と、前記第１伝熱管よりも風下側に配列され、管径およびピッチが前記第１伝熱管の管径およびピッチと異なる第２伝熱管とを有し、前記第１伝熱管が前記風上側挿入部に挿入され、かつ前記第２伝熱管が前記風下側挿入部に挿入される場合と、前記第１伝熱管が前記風下側挿入部に挿入される場合とがあることを特徴とする。
【０００９】
この熱交換器固定板では、第１伝熱管と第２伝熱管の管径およびピッチが異なる場合において、第１伝熱管が風上側挿入部に挿入され、かつ第２伝熱管が風下側挿入部に挿入される場合と、第１伝熱管が風下側挿入部に挿入される場合とがあるので、第１伝熱管と第２伝熱管の管径およびピッチが異なる場合であっても、熱交換器固定板を共通化できる。
【００１０】
第３の発明にかかる熱交換器固定板は、第２の発明にかかる熱交換器固定板において、前記第１伝熱管の管径が、前記第２伝熱管の管径よりも大きいことを特徴とする。
【００１１】
この熱交換器固定板では、第１伝熱管の管径が第２伝熱管の管径より大きい場合であっても、熱交換器固定板を共通化できる。
【００１２】
第４の発明にかかる熱交換器固定板は、第１〜第３のいずれかの発明にかかる熱交換器固定板において、前記風下側挿入部は、前記伝熱管のヘアピン部が挿入される側の端部とは反対側の端部が実質的に閉塞されていることを特徴とする。
【００１３】
この熱交換器固定板では、風下側挿入部において、伝熱管のヘアピン部が挿入される側の端部とは反対側の端部が実質的に閉塞されているので、風下側挿入部の剛性が向上する。したがって、風下側挿入部を形成することによる熱交換器固定板の剛性の低下を抑制できる。
【００１４】
第５の発明にかかる室内機は、第１〜第４のいずれかの発明に記載の熱交換器固定板を備えることを特徴とする。
【００１５】
この室内機では、熱交換器に設けられた伝熱管の列数が異なる場合であっても、共通に用いることができる熱交換器固定板を備えた室内機を提供できる。
【発明の効果】
【００１６】
以上の説明に述べたように、本発明によれば、以下の効果が得られる。
【００１７】
第１の発明では、風下側挿入部の長さが空気の流れ方向と対向する方向に隣接する少なくとも２つのヘアピン部が挿入可能な長さとされ、風下側挿入部の幅が風上側挿入部の幅以上であるので、風下側挿入部よりも風上側に挿入される伝熱管のヘアピン部を、風下側挿入部に挿入することができる。したがって、伝熱管の列数が異なる場合であっても、熱交換器固定板を共通化できる。
【００１８】
第２の発明では、第１伝熱管と第２伝熱管の管径およびピッチが異なる場合において、第１伝熱管が風上側挿入部に挿入され、かつ第２伝熱管が風下側挿入部に挿入される場合と、第１伝熱管が風下側挿入部に挿入される場合とがあるので、第１伝熱管と第２伝熱管の管径およびピッチが異なる場合であっても、熱交換器固定板を共通化できる。
【００１９】
第３の発明では、第１伝熱管の管径が第２伝熱管の管径より大きい場合であっても、熱交換器固定板を共通化できる。
【００２０】
第４の発明では、風下側挿入部において、伝熱管のヘアピン部が挿入される側の端部とは反対側の端部が実質的に閉塞されているので、風下側挿入部の剛性が向上する。したがって、風下側挿入部を形成することによる熱交換器固定板の剛性の低下を抑制できる。
【００２１】
第５の発明では、熱交換器に設けられた伝熱管の列数が異なる場合であっても、共通に用いることができる熱交換器固定板を備えた室内機を提供できる。
【図面の簡単な説明】
【００２２】
【図１】本発明の実施形態に係る室内機の外観図である。
【図２】図１に示す室内機の断面図である。
【図３】図１に示す熱交換器の斜視図である。
【図４】熱交換器および熱交換器固定板の斜視図である。
【図５】熱交換器固定板を表面側から見た斜視図である。
【図６】熱交換器固定板を背面側から見た斜視図である。
【図７】熱交換器固定板を背面側から見た側面図である。
【図８】（ａ）は、図７に示す熱交換器固定板のＡ部拡大図であり、（ｂ）は、Ｂ部拡大図である。
【図９】熱交換器および熱交換器固定板の断面図である。
【図１０】図３に示す熱交換器よりも伝熱管の列数が少ない熱交換器の斜視図である。
【図１１】図１０に示す熱交換器および熱交換器固定板の斜視図である。
【図１２】図１０に示す熱交換器および熱交換器固定板の断面図である。
【図１３】変形例に係る熱交換器固定板を背面側から見た側面図である。
【発明を実施するための形態】
【００２３】
以下、図面を参照しつつ本発明の実施形態に係る空気調和機について説明する。
【００２４】
［室内機１の構成］
本発明の実施形態に係る熱交換器固定板７は、空気調和機の室内機１に適用されている。室内機１は、図１に示すように、全体として一方向に細長い形状を有しており、その長手方向が水平となるように室内の壁面に据え付けられる。室内機１は、図示しない室外機と共に空気調和機を構成しており、室内の冷暖房を行う。なお、以下の説明において、室内機１が取り付けられる壁から突出する方向を「前方」と称し、その反対の方向を「後方」と称する。また、図１に示す左右方向を単に「左右方向」と称する。
【００２５】
図２に示すように、室内機１は、ケーシング２と、ケーシング２内に収容された熱交換器３、送風ファン４、フィルタ５および電装品箱（図示省略）などの内部機器を備えている。ケーシング２の上面には吸込口２ａが形成されており、ケーシング２の下面には吹出口２ｂが形成されている。吹出口２ｂの近傍には、上下方向の風向きの調整と、吹出口２ｂの開閉を行う水平フラップ６が配置されている。送風ファン４は、その軸方向が水平方向に沿うように配置されている。この送風ファン４は、上方から空気を吸い込んで、下方に吹き出すように構成されている。
【００２６】
［熱交換器３］
熱交換器３は、送風ファン４の前方、上方、及び後方を取り囲むように配置されている。空調運転時には、送風ファン４の駆動により、室内空気が吸込口２ａから吸い込まれて、吸い込まれた空気は、熱交換器３において加熱または冷却された後、吹出口２ｂから吹き出されるようになっている。
【００２７】
この熱交換器３は、前側熱交換器１１と後側熱交換器１２とに分かれた逆Ｖ字状の断面形状を有している。前側熱交換器１１は、第１熱交換器１３、第２熱交換器１４、及び第３熱交換器１５から構成され、空気の流れ方向（図２の矢印方向）に対して第１熱交換器１３、第２熱交換器１４、第３熱交換器１５の順に配列されている。したがって、吸込口２ａから吸い込まれた室内空気の一部は、第１熱交換器１３、第２熱交換器１４、第３熱交換器１５を順に通過し、吹出口２ｂ側に至る。また、後側熱交換器１２は、第４熱交換器１６、及び第５熱交換器１７から構成され、空気の流れ方向（図２の矢印方向）に対して第４熱交換器１６、第５熱交換器１７の順に配列されている。したがって、吸込口２ａから吸い込まれた室内空気の一部は、第４熱交換器１６、第５熱交換器１７を順に通過し、吹出口２ｂ側に至る。
【００２８】
各熱交換器１３〜１７は、いずれも送風ファン４の軸方向（左右方向）に延在した複数の伝熱管を有する。前側熱交換器１１の最風上側に配列された第１熱交換器１３は、１列１２段に配列された伝熱管１３ａ（第１伝熱管）を有し、第２熱交換器１４は、１列１４段に配列された伝熱管１４ａ（第２伝熱管）を有し、第３熱交換器１５は、３列１４段に配列された伝熱管１５ａを有している。また、後側熱交換器１２の最風上側に配列された第４熱交換器１６は、１列８段に配列された伝熱管１６ａを有し、第５熱交換器１７は、２列１０段に配列された伝熱管１７ａを有している。
【００２９】
ここで、伝熱管（１３ａ、１６ａ、１７ａ）は、それぞれ同じ管径およびピッチを有している。具体的には、その管径（直径）は、φ６ｍｍであり、ピッチは、１８ｍｍである。また、伝熱管（１４ａ、１５ａ）は、それぞれ同じ管径およびピッチを有している。具体的には、その管径（直径）は、φ４ｍｍであり、ピッチは、１５ｍｍである。したがって、伝熱管（１４ａ、１５ａ）の管径およびピッチは、伝熱管（１３ａ、１６ａ、１７ａ）の管径およびピッチよりも小さい。なお、伝熱管のピッチとは、段方向に隣接する２つの伝熱管の中心から中心までの距離を言う。また、本願において、列方向とは、空気の流れ方向（図２の矢印方向）を指し、段方向とは、各熱交換器の長手方向を指す（図２の紙面上において矢印方向と直交する方向）。
【００３０】
この熱交換器３の伝熱管１３ａ〜１７ａには、図３に示すように、熱交換器３の左側端部３ＬにおいてＵ字状に折り曲げられた多数のヘアピン部２０が形成されている。このヘアピン部２０は、第１熱交換器１３に設けられた伝熱管１３ａにより形成されたヘアピン部２３（２３Ａ〜２３Ｆ）、第２熱交換器１４に設けられた伝熱管１４ａにより形成されたヘアピン部２４（２４Ａ〜Ｇ）、第３熱交換器１５に設けられた伝熱管１５ａにより形成されたヘアピン部２５、第４熱交換器１６に設けられた伝熱管１６ａにより形成されたヘアピン部２６、第５熱交換器１７に設けられた伝熱管１７ａにより形成されたヘアピン部２７に分けられる。
【００３１】
また、熱交換器３の右側端部（図示省略）においても同様にＵ字状に折り曲げられた多数のヘアピン部が形成されている。その結果、伝熱管は段方向において一続きとなっている。また、各熱交換器１３〜１７は、送風ファン４の軸方向（左右方向）に沿って微小間隔毎に積層され、伝熱管１３ａ〜１７ａを挿通するフィンＦを有している。
【００３２】
［熱交換器固定板７］
熱交換器３の左側端部３Ｌは、図４に示すように、樹脂製の熱交換器固定板７によって固定されている。そして、この熱交換器固定板７がケーシング２に固定されることによって、熱交換器３がケーシング２に固定されるようになっている。
【００３３】
この熱交換器固定板７は、図４〜図９に示すように、熱交換器３の左側端部３Ｌに背面３１Ｂ側が対向する板状基部３１と、板状基部３１に形成され、各ヘアピン部２０が挿入される多数の挿入部３０とを有する。
【００３４】
多数の挿入部３０は、第１挿入部３２（風上側挿入部）、第２挿入部３３（風下側挿入部）、第３挿入部３４、第４挿入部３７、第５挿入部３８、及び第６挿入部３９に分かれている。そして、これら第１挿入部３２〜第６挿入部３９に各ヘアピン部２０が挿入されることにより、図９に示すように、熱交換器３に設けられた伝熱管のヘアピン部２０全てが、挿入部３０のいずれかに挿入された状態となっている。
【００３５】
以下、この第１挿入部３２〜第６挿入部３９について詳しく説明する。
【００３６】
＜第１挿入部３２＞
第１挿入部３２（３２Ａ〜３２Ｆ）は、板状基部３１の最風上側であって、かつ送風ファン４の前方に配置されている。この第１挿入部３２には、第１熱交換器１３に設けられた伝熱管１３ａ（第１伝熱管）のヘアピン部２３（２３Ａ〜２３Ｆ）がそれぞれ挿入される。なお、第１挿入部３２の幅Ｗ１（図８（ａ）参照）は、伝熱管１３ａのヘアピン部２３を挿入できるよう、少なくとも伝熱管１３ａの管径（φ６ｍｍ）よりも大きくされている。
【００３７】
この第１挿入部３２は、図４から好適に理解されるように、板状基部３１の表面３１Ｆ側が実質的に閉塞されている。その結果、吸込口２ａから吸い込まれた室内空気がフィルタ５を通過せずに吹出口２ｂ側にバイパスすることや、ヘアピン部２３が衝撃を受けて変形することが抑制される。なお、この第１挿入部３２には、水抜きおよび乾燥用の細孔３２ａが形成されている。
【００３８】
＜第２挿入部３３＞
第２挿入部３３（３３Ａ、３３Ｂ）は、第１挿入部３２よりも風下側に配置され、第２熱交換器１４に設けられた伝熱管１４ａ（第２伝熱管）のヘアピン部２４（２４Ａ〜２４Ｆ）が挿入される。
【００３９】
第２挿入部３３Ａには、図９に示すように、４つのヘアピン部２４Ａ〜２４Ｄが挿入される。この第２挿入部３３Ａは、図８（ａ）に示すように長穴であり、その長さＬ２が、段方向（空気の流れ方向と対向する方向）に隣接する４つのヘアピン部２４Ａ〜２４Ｄが挿入可能な長さとされる。即ち、４つのヘアピン部２３Ａ〜２３Ｄの一端から他端までの長さよりも長くされている。また、第２挿入部３３Ａは、その幅Ｗ２が、第１挿入部３２の幅Ｗ１以上とされている（図８（ａ）において幅Ｗ２は幅Ｗ１と同じである）。なお、この第１挿入部３３Ａには、図１１に示すように、第１熱交換器１３に設けられた伝熱管１３ａのヘアピン部２３Ａ〜２３Ｃが挿入される場合もある。そのため、第１挿入部３３Ａは、その長さＬ２が、３つのヘアピン部２３Ａ〜２３Ｃが挿入可能な長さともされている。
【００４０】
また、第２挿入部３３Ｂには、２つのヘアピン部２４Ｅ、２４Ｆ、及び伝熱管１５ａのヘアピン部２５が挿入される。この第２挿入部３３Ｂは、図８（ｂ）に示すように長穴であり、その長さＬ３が、段方向に隣接する２つのヘアピン部２４Ｅ、２４Ｆが挿入可能な長さとされる。即ち、２つのヘアピン部２４Ｅ、２４Ｆの一端から他端までの長さよりも長くされている。また、その幅は、位置によって異なるが、どの位置においても、第１挿入部３２の幅Ｗ１以上とされている（図８（ｂ）においては、幅Ｗ３は幅Ｗ１と同じである）。
【００４１】
なお、ここで第２挿入部３３の長さとは、より正確には、伝熱管１４ａの段方向と一致する方向の長さを言い、第２挿入部３３の幅とは、より正確には、板状基部３１に平行で、かつ伝熱管１４ａの段方向と一致する方向と直交する方向の幅を言う。
【００４２】
第２挿入部３３は、板状基部３１の表面３１Ｆ側（ヘアピン部２４が挿入される側の端部とは反対側の端部）が実質的に閉塞されている。その結果、第２挿入部３３が長穴に形成されることによる熱交換器固定板７の剛性の低下が抑制される。なお、この第２挿入部３３には、水抜きおよび乾燥用の細孔３３ａが形成されている。この細孔３３ａは、第２挿入部３３Ａに２つ、第２挿入部３３Ｂに３つ形成されている。
【００４３】
＜第３挿入部３４＞
第３挿入部３４は、第２挿入部３３よりも風下側に複数配置され、第３熱交換器１５に設けられた伝熱管１５ａのヘアピン部２５が挿入される。この第３挿入部３４には、図５から好適に理解されるように、長孔型の挿入部３５と、平行四辺形型の挿入部３６の２種類の形状がある。長孔型の挿入部３５および平行四辺形型の挿入部３６は共に６つずつ形成されている。長孔型の挿入部３５には、ヘアピン部２５が１つ挿入され、平行四辺形型の挿入部３６には、列方向に隣接する２つのヘアピン部２５、２５が挿入される。なお、平行四辺形型の挿入部３６は、壁部３６ａを有しており、ヘアピン部２５が衝撃を受けて変形することを防いでいる。
【００４４】
＜第４挿入部３７＞
第４挿入部３７は、板状基部３１の最風上側であって、かつ送風ファン４の後方に複数配置され、第４熱交換器１６に設けられた伝熱管１６ａのヘアピン部２６がそれぞれ１つずつ挿入される。この第４挿入部３７は、図５から好適に理解されるように、板状基部３１の表面３１Ｆ側が実質的に閉塞されている。また、この第４挿入部３７には、水抜きおよび乾燥用の細孔３７ａが形成されている。
【００４５】
＜第５挿入部３８＞
第５挿入部３８は、第４挿入部３７よりも風下側に複数配置され、第５熱交換器１７に設けられた伝熱管１７ａのヘアピン部２７が１つずつ又は２つずつ挿入される。この第５挿入部３８の一部は、図５から好適に理解されるように、壁部３８ａを有しており、ヘアピン部２７が衝撃を受けて変形することを防いでいる。
【００４６】
＜第６挿入部３９＞
第６挿入部３９は、第２挿入部３３Ａ、３３Ｂの間に配置され、第２熱交換器１４に設けられた伝熱管１４ａのヘアピン部２４Ｇが挿入される。なお、この第６挿入部３９には、図１１に示すように、第１熱交換器１３に設けられた伝熱管１３ａのヘアピン部２３Ｄが挿入される場合もある。そのため、第６挿入部３９は、その長さ及び幅が、第１挿入部３２の長さ及び幅と略同じとされている。
【００４７】
次に、熱交換器固定板７が、熱交換器３とは異なる熱交換器を備えた室内機に適用される場合について説明する。この室内機は、熱交換器の構成が熱交換器３と異なり、その他の構成は室内機１と同じである。なお、室内機１と構成が同じである部分については同じ符号を付して説明する。
【００４８】
この室内機に収容される熱交換器５３は、図１０に示すように、上記した熱交換器３から第２熱交換器１４及び第４熱交換器１６を取り外したものである。そのため、この熱交換器５３は、前側熱交換器１１に設けられた伝熱管の列数が、熱交換器３に比べて１列減って４列となり、後側熱交換器１２に設けられた伝熱管の列数が、熱交換器３に比べて１列減って２列となっている。なお、熱交換器５３の第１熱交換器１３は、第２熱交換器１４が取り外されたことにより、１列風下側にずれている。
【００４９】
図１１に示すように、熱交換器５３の左側端部３Ｌは、熱交換器３と同様、上記した熱交換器固定板７によって固定されている。そして、この熱交換器固定板７が室内機のケーシング２に固定されることによって、熱交換器５３が室内機のケーシング２に固定されるようになっている。
【００５０】
ここで、図１２に示すように、熱交換器５３が熱交換器固定板７に固定された状態においては、ヘアピン部２３は、第２挿入部３３に挿入される。具体的には、ヘアピン部２４Ａ〜２４Ｃが第２挿入部３３Ａに挿入され、ヘアピン部２４Ｅ、２４Ｆが第２挿入部３３Ｂに挿入される。
【００５１】
また、熱交換器５３が熱交換器固定板７に固定された状態においては、第１挿入部３２、及び第４挿入部３７には、どのヘアピン部２０も挿入されていない状態となっている。なお、第３熱交換器１５に設けられた伝熱管１５ａのヘアピン部２５、及び第５熱交換器１７に設けられた伝熱管１７ａのヘアピン部２７は、熱交換器３の場合と同様、第３挿入部３４及び第５挿入部３８に各々挿入されている。
【００５２】
［本実施形態の熱交換器固定板７の特徴］
本実施形態の熱交換器固定板７には、以下の特徴がある。
【００５３】
この熱交換器固定板７では、第２挿入部３３（風下側挿入部）の長さＬ２、Ｌ３が空気の流れ方向と対向する方向（段方向）に隣接する少なくとも２つのヘアピン部２０が挿入可能な長さとされ、第２挿入部３３Ａの幅Ｗ２、Ｗ３が第１挿入部３２（風上側挿入部）の幅Ｗ１以上であるので、第１挿入部３２に挿入される伝熱管１３ａ（第１伝熱管）のヘアピン部２３を、第２挿入部３３に挿入することが可能となる。したがって、熱交換器３と、熱交換器３から伝熱管が１列削除された熱交換器５３とを共通の熱交換器固定板７で固定できる。
【００５４】
また、この熱交換器固定板７では、伝熱管１３ａ（第１伝熱管）と伝熱管１４ａ（第２伝熱管）の管径およびピッチが異なる場合において、伝熱管１３ａが第１挿入部３２（風上側挿入部）に挿入され、かつ伝熱管１４ａが第２挿入部３３（風下側挿入部）に挿入される場合と、伝熱管１３ａが第２挿入部３３（風下側挿入部）に挿入される場合とがあるので、伝熱管１３ａと伝熱管１４ａの管径およびピッチが異なる場合であっても、熱交換器固定板７を共通化できる。
【００５５】
また、この熱交換器固定板７では、伝熱管１３ａの管径が伝熱管１４ａの管径より大きい場合において、伝熱管１３ａが、第１挿入部３２に挿入される場合と、第２挿入部３３に挿入される場合とがあるので、伝熱管１３ａの管径が伝熱管１４ａの管径より大きい場合であっても、熱交換器固定板７を共通化できる。
【００５６】
また、この熱交換器固定板７では、第２挿入部３３において、伝熱管のヘアピン部２０が挿入される側の端部とは反対側の端部（板状基部３１の表面３１Ｆ側）が実質的に閉塞されているので、第２挿入部３３の剛性が向上する。したがって、第２挿入部３３を長穴に形成することによる熱交換器固定板７の剛性の低下を抑制できる。
【００５７】
また、本実施形態の室内機では、上記の熱交換器固定板７を備えているので、熱交換器に設けられた伝熱管の列数が異なる場合であっても、共通に用いることができる熱交換器固定板７を備えた室内機を提供できる。
【００５８】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００５９】
［変形例］
本実施形態では、第１挿入部３２（風上側挿入部）よりも１列風下側に第２挿入部３３（風下側挿入部）が形成されているが、第２挿入部３３は、第１挿入部３２よりも風下側に形成されていればよく、例えば、第３挿入部３４が形成されている箇所に第２挿入部３３が形成されていてもよい。
【００６０】
また、第２挿入部３３（風下側挿入部）は、図９及び図１２に示すように、その幅Ｗ２、Ｗ３が、１列分のヘアピン部が挿入可能な幅とされたが、図１３に示すように、その幅が、２列のヘアピン部２０が挿入可能な幅とされていてもよい。そうすることで、伝熱管１３ａ（第１伝熱管）よりも風下側にある伝熱管を１列削除した場合、２列削除した場合のいずれであっても、第１挿入部３２に挿入される伝熱管のヘアピン部２３を、第２挿入部３３に挿入することができる。また、第２挿入部３３の幅は、３列以上のヘアピン部２０が挿入可能な幅とされていてもよい。
【００６１】
また、本実施形態では、第２挿入部３３の長さＬ２は、段方向に隣接する４つのヘアピン部２４Ａ〜２４Ｄが挿入可能な長さとされ、長さＬ３は、段方向に隣接する２つのヘアピン部２４Ｅ、２４Ｆが挿入可能な長さとされたが、その長さは、段方向に隣接する少なくとも２つのヘアピン部２０が挿入可能な長さであればよい。
【００６２】
また、本実施形態では、伝熱管１３ａの管径およびピッチが、伝熱管１４ａの管径およびピッチより大きくされているが、伝熱管１３ａの管径およびピッチが、伝熱管１４ａの管径およびピッチと同じであってもよいし、伝熱管１４ａの管径およびピッチより小さくてもよい。
【００６３】
また、本実施形態では、第１挿入部３２および第２挿入部３３が熱交換器固定板７のうち、送風ファン４の前方側に配置されたが、第１挿入部３２および第２挿入部３３が、熱交換器固定板７のうち、送風ファン４の後方側に形成されていてもよい。また、第１挿入部３２および第２挿入部３３が、送風ファン４の前方側および後方側の両方に形成されていてもよい。
【００６４】
また、本実施形態の熱交換器は、前側熱交換器１１と後側熱交換器１２とに分かれた逆Ｖ字状の断面形状を有し、熱交換器固定板７も同様に略逆Ｖ字状とされている。しかしながら、熱交換器は、前側熱交換器１１のみから構成されていてもよいし、後側熱交換器１２のみから構成されていてもよい。また、熱交換器固定板も送風ファン４の前側にのみ配置されるものであってもよいし、送風ファン４の後側にのみ配置されるものであってもよい。
【００６５】
また、本実施形態では、第２挿入部３３は、伝熱管のヘアピン部２０が挿入される側の端部とは反対側の端部（背面３１Ｂ側）が実質的に閉塞されているが、第２挿入部３３は、貫通孔であってもよい。
【００６６】
また、本実施形態では、熱交換器の左側端部３Ｌを固定する熱交換器固定板７について説明したが、熱交換器固定板は、熱交換器の右側端部３Ｒを固定するものであってもよいし、熱交換器の両端部３Ｌ、３Ｒを固定するものであってもよい。
【産業上の利用可能性】
【００６７】
本発明を利用すれば、伝熱管の列数が異なる場合であっても、熱交換器固定板を共通化できる。
【符号の説明】
【００６８】
１  室内機
３、５３  熱交換器
３Ｌ  左側端部（端部）
７  熱交換器固定板
１３ａ  伝熱管（第１伝熱管）
１４ａ  伝熱管（第２伝熱管）
２０  ヘアピン部
３２  第１挿入部（風上側挿入部）
３３  第２挿入部（風下側挿入部）
【図１】
2014070759.tif 000003
【図２】
2014070759.tif 000004
【図３】
2014070759.tif 000005
【図４】
2014070759.tif 000006
【図５】
2014070759.tif 000007
【図６】
2014070759.tif 000008
【図７】
2014070759.tif 000009
【図８】
2014070759.tif 000010
【図９】
2014070759.tif 000011
【図１０】
2014070759.tif 000012
【図１１】
2014070759.tif 000013
【図１２】
2014070759.tif 000014
【図１３】
2014070759.tif 000015